(57)【要約】【課題】  ペーパーを片手だけで引き出して切断できる簡潔な構造のトイレットペーパー用のホルダーを提供する。【解決手段】  ホルダー１の支持板２の内壁に添った摺動部６ａ、７ａと左右のホルダー部の内壁に添った押圧部６ｂ、７ｂに屈曲形成した左右の押圧板６、７を支持板２に設けた左右ガイド部９、１０に左右スライド可能に保持させる。また前記支持板２の中央部には摺動部６ａ、７ａを、上部には操作ツマミ１４を形成した操作板８を前記支持板２の内壁中央部に設けた上下ガイド部１１ａ、１１ｂに上下往復可能に保持させる。そして前記操作板８の下部面８ｂと前記押圧板６、７の基端部６ｃ、７ｃとの間に操作板８の上下方向の移動操作で押圧板６、７を左右逆方向に同時に移動可能とする移動方向転換機構Ｒを備える。また、上ガイド部１１ａ上に前記操作板８の板面を押し付けるように押えバネ２４を取り付ける。【選択図】      図１
2007307192.tif 000002
【特許請求の範囲】
【請求項１】
壁面に固定するための支持板の左右両側に突設したホルダー部にトイレットペーパーのロールをフリー回転可能にロール芯部で保持できるようにしたトイレットペーパー用のホルダーにおいて、
該ホルダーの支持板の内壁に添った摺動部とホルダー部の内壁に添ってホルダー部のロール芯支持部を避けてロール芯支持部近くに達する長さの押圧部とを備えるとともに前記支持板の内壁と前記摺動部との間に該摺動部を左右水平に側方へのみスライド可能に拘束するスライド機構を介して前記支持板の内壁に保持された左右の押圧板と、
前記ホルダーの支持板の中央内壁に添った摺動部と該内壁中央の上部に突出した操作ツマミとを備えるとともに該摺動部が前記ホルダーの支持板又は左右の押圧板に支持されて設けられた操作板と、
前記操作板の上下方向の移動で前記左右の押圧板が同時に左右逆方向に連係移動するように前記押圧板の基端部と前記操作板の下部との間に設けられた移動方向転換機構と、
前記操作板の上下操作を困難にしない程度で且つ左右の押圧板の押圧部による装填されたペーパーのロール側面に対する押圧状態と押圧解除状態を維持可能な摩擦抵抗力を有する前記操作板及び／又は左右の押圧板に設けた移動抑止機構とから成り、
前記操作ツマミの操作で前記押圧板の左右の押圧部が装填されたペーパーのロール側面を両側から押圧して回転を停止状態にさせることによって引き出したペーパーを片手で引き千切れるようにしたことを特徴とするトイレットペーパー一時固定用ホルダー。
【請求項２】
支持板の内壁中央部に、操作板の摺動部を左右前後方向に拘束して上下方向のみ往復可能とするガイド部を設けたことを特徴とする請求項１に記載のトイレットペーパー一時固定用ホルダー。
【請求項３】
移動抑止機構が、操作板の摺動部を押圧状態で支持板の内壁中央部のガイド部に固着した板バネを備えて成ることを特徴とする請求項２に記載のトイレットペーパー一時固定用ホルダー。
【請求項４】
移動方向転換機構が、左右の押圧板の基端部には斜め上下方向に左右対称でハ字形又は逆ハ字形を成すように左右のガイド孔を配着し、操作板の下部には該左右のガイド孔内を往復可能に二股に分岐形成した左右のガイド分岐板部を設けて成り、
前記操作板の上下移動により前記左右のガイド分岐板部が前記左右のガイド孔内を往復しつつ左右の押圧板を左右逆方向に同時に移動できるようにしたことを特徴とする請求項１から３のうちいずれかに記載のトイレットペーパー一時固定用ホルダー。
【請求項５】
移動抑止機構が、左右のガイド分岐板部を押圧状態で左右のガイド孔に固着した板バネを備えて成ることを特徴とする請求項４に記載のトイレットペーパー一時固定用ホルダー。
【請求項６】
移動方向転換機構が、操作板の下部面には斜め上下方向の長孔が左右対称にハ字形又は逆ハ字形を成すように左右の突起ガイド孔を形成し、左右の押圧板の基端部には該左右の突起ガイド孔内から突出させた左右の突起を設け、
前記操作板の上下移動により前記左右の突起ガイド孔が前記左右の突起をガイドして左右の押圧板を左右逆方向に同時に移動できるようにしたことを特徴とする請求項１から３のうちいずれかに記載のトイレットペーパー一時固定用ホルダー。
【請求項７】
移動方向転換機構が、操作板の下部面には少なくとも１箇所に突起を突設し、左右の押圧板の基端部には該突起を孔内に挟持可能な斜め上下方向の長孔が左右対称にハ字形又は逆ハ字形を成すように左右の突起ガイド孔を設け、
前記操作板の上下移動により前記突起が前記突起ガイド孔でガイドされ左右の押圧板を左右逆方向に同時に移動できるようにしたことを特徴とする請求項１から３のうちいずれかに記載のトイレットペーパー一時固定用ホルダー。
【請求項８】
移動方向転換機構が、操作板の下部面に設けた枢支部と左右の押圧板の基端部に設けた枢支部とに両端部に枢支部を備えた連結板を枢着して成り、
前記操作板の上下移動により該操作板の枢支部を支点に左右の連結板を開閉させつつ左右の押圧板を左右逆方向に同時に移動できるようにしたことを特徴とする請求項請求項１から３のうちいずれかに記載の１又は２に記載のトイレットペーパー一時固定用ホルダー。
【発明の詳細な説明】
【技術分野】
【０００１】
本発明は、トイレットペーパーのロールをペーパーが引き出し可能に保持するためのホルダーに関する。
【背景技術】
【０００２】
トイレットペーパーを使用する際には、ホルダーに保持されているペーパーを指で摘まんでロールから引き出して使用するが、引き出したトイレットペーパーを切るときに、片手のみで切ろうとしてペーパーを引っ張ると、ロールからペーパーがずるずると不必要に引き出されてしまうので、上部に開閉可能に装着されているカバーを指で押さて、トイレットペーパーを押さえつけて固定した状態にしてから切っている。
このように両手を使わなければペーパーを切ることができない。
したがって、従来のトイレットペーパーのホルダーでは両手を使わなければならないので大変面倒であるだけでなく、特に片手が不自由な使用者にとってはペーパーを切ることができずに困っている実態がある。
【０００３】
そこで、特許文献１に記載のように、ペーパーカバーの先端にペーパーを繰り出すための開口部を設けてその開口部の下側にカット歯を設け、ペーパーを真下に引いて切れるようにした装置が提案されている。
一方それとは逆に、特許文献２に記載のように、ペーパーカバーの上にカット歯を設けてペーパーを上に折曲げて切れるようにした装置も提案されている。
装置が提案されている。
また、特許文献３に記載のように、ボタン操作で自動的にトイレットペーパーの紙送りと停止ができ、停止中で固定されたトイレットペーパーが片手で切れるようにした装置が提案されている。
【特許文献１】特開２００５−３１２８７４号公報
【特許文献２】特開２００２−８５２８８号公報
【特許文献３】特開２００５−１８５４５５号公報
【発明の開示】
【発明が解決しようとする課題】
【０００４】
しかし、上記特許文献１に記載の装置では、開口部にペーパーをセットするのが面倒であり、一旦切ったペーパーの先端を再度引き出そうとしても容易に引き出せない難点があった。
また、上記特許文献２に記載の装置では、ペーパーを上に折曲げつつ切ことになるので手先が器用でないペーパーが容易に切れず、またカット歯が上向きに露出しているので誤って手をカット歯に引っ掛ける危険性があった。
さらに、上記特許文献３に記載の装置では、トイレットペーパーをボタン操作で簡単に切ることができても、その装置の構造が複雑であって、このため製造コストも高くなるという難点があった。
本発明は、そのような難点を解消するために、ホルダーへのトイレットペーパーの装着が容易で、トイレットペーパーホルダーから引き出されたペーパーを固定して片手だけで簡単に切ることができ、且つ簡潔な構造で安価に製造することが可能となるトイレットペーパー用のホルダーを提供することを目的とする。
【課題を解決するための手段】
【０００５】
上記課題を解決するために、本発明のトイレットペーパー一時固定用ホルダーは、トイレの壁面に固定するための支持板の左右両側に突設したホルダー部にトイレットペーパーのロールをフリー回転可能にロール芯部で保持できるようにしたトイレットペーパー専用のホルダーにおけるものである。
そして、そのホルダーの支持板の内壁に添うように形成した摺動部とホルダー部の内壁に添ってホルダー部のロール芯支持部を避けてロール芯支持部近くに達する長さに形成した押圧部を備えた左右の押圧板を、前記支持板の内壁と前記摺動部との間に該摺動部を左右水平に側方へのみスライド可能に拘束しつつ保持するスライド機構を介して前記支持板の内壁に設ける。
また、前記ホルダーの支持板の中央内壁に添った摺動部と該内壁中央の上部に突出した操作ツマミを備えた操作板を、該摺動部が前記ホルダーの支持板又は左右の押圧板に支持させて設ける。
さらに、前記操作板の上下方向の移動で前記左右の押圧板が同時に左右逆方向に連係移動するように前記押圧板の基端部と前記操作板の下部との間に移動方向転換機構を設ける。
また、前記操作板の上下操作を困難にしない程度で且つ左右の押圧板の押圧部による装填されたペーパーのロール側面に対する押圧状態と押圧解除状態とを維持可能な摩擦抵抗力を有する移動抑止機構を前記操作板及び／又は左右の押圧板に設けて構成される。
そして、前記操作ツマミの操作で前記押圧板の左右の押圧部が装填されたペーパーのロール側面を両側から押圧して回転を停止状態にさせることによって引き出したペーパーを片手で引き千切れるようにしたことを特徴とする。
【０００６】
請求項２に記載の発明は、上記発明において、前記支持板の内壁中央部に、操作板の摺動部を左右前後方向に拘束して上下方向のみ往復可能とするガイド部を設けたことを特徴とする。
【０００７】
請求項３に記載の発明は、上記発明において、前記移動抑止機構が、操作板の摺動部を押圧状態で支持板の内壁中央部のガイド部に固着した板バネを備えたことを特徴とする。
【０００８】
請求項４に記載の発明は、上記発明において、前記移動方向転換機構が、左右の押圧板の基端部には斜め上下方向に左右対称でハ字形又は逆ハ字形を成すように左右のガイド孔を配着し、操作板の下部には該左右のガイド孔内を往復可能に二股に分岐形成した左右のガイド分岐板部を設けて構成される。
そして、前記操作板の上下移動により前記左右のガイド分岐板部が前記左右のガイド孔内を往復して左右の押圧板を左右逆方向に同時に移動できるようにしたことを特徴とする。
【０００９】
請求項５に記載の発明は、上記発明において、前記移動抑止機構が、左右のガイド分岐板部を押圧状態で左右のガイド孔に固着した板バネを備えたことを特徴とする。
【００１０】
請求項６に記載の発明は、上記発明において、前記移動方向転換機構が、操作板の下部面には斜め上下方向の長孔が左右対称にハ字形又は逆ハ字形を成すように左右の突起ガイド孔を形成し、左右の押圧板の基端部には該左右の突起ガイド孔内から突出させた左右の突起を設けて構成される。
そして、前記操作板の上下移動により前記左右の突起ガイド孔が前記左右の突起をガイドして左右の押圧板を左右逆方向に同時に移動できるようにしたことを特徴とする。
【００１１】
請求項７に記載の発明は、上記発明において、前記移動方向転換機構が、操作板の下部面には少なくとも１箇所に突起を突設し、左右の押圧板の基端部には該突起を孔内に挟持可能な斜め上下方向の長孔が左右対称にハ字形又は逆ハ字形を成すように左右の突起ガイド孔を設けて構成される。
そして、前記操作板の上下移動により前記突起が前記突起ガイド孔でガイドされ左右の押圧板を左右逆方向に同時に移動できるようにしたことを特徴とする。
【００１２】
請求項８に記載の発明は、上記発明において、前記移動方向転換機構が、操作板の下部面に設けた枢支部と左右の押圧板の基端部に設けた枢支部とに両端部に枢支部を備えた連結板を枢着して構成される。
そして、前記操作板の上下移動により該操作板の枢支部を支点に左右の連結板を開閉させて左右の押圧板を左右逆方向に同時に移動できるようにしたことを特徴とする。
【発明の効果】
【００１３】
本発明は上記構成なので、前記操作板の操作ツマミを指で上下操作すると左右の押圧板の押圧部間が移動方向転換機構を介して開閉される。
このとき、操作ツマミで押圧部間を開くことで前記ホルダー部に保持されているトイレットペーパーのロールの回転をフリーにさせ、ペーパーをロールから容易に引き出すとこが可能となり、逆に前記操作ツマミで押圧部間を閉じることで保持したトイレットペーパーのロールの側面が前記押圧部で押圧され、その押圧されたときの摩擦力でロールの回転の停止される。
この際、前記操作板の操作ツマミを指で押し続けなくても、板バネなどによる前記移動抑止機構によって押圧部が押し戻しされなくなるのでロールの側面の押圧部による押圧状態を維持してロールの回転の停止状態を保つことが可能となる。
また、前記移動抑止機構によって押圧部がロールの側面から離れた状態のまま維持することでロールが回転フリーとなった状態を確実に維持できるようになる。
そして、ロールが回転の停止状態でペーパーを引くと、ペーパーはそれ以上ロールか出て行かなくなるので、図３に示すように、ペーパーのミシン目または途中から千切れるように切り取ることができる。
即ち、前記操作ツマミを操作してロールを回転フリーの状態にしてペーパーをロールから片手で引き出し、その手で前記操作ツマミを操作してロールの回転を停止させ、その停止状態でペーパーをその手で引いて千切るという、一連の作業を片手のみで簡単に行うことが可能となる。
このため、片手が不自由な使用者であっても、一方の手が使えれば、その片手だけで簡単にトイレットペーパーを使用することができる。
【００１４】
なお、左右の押圧板がホルダーの支持板の内壁とホルダー部の内壁に添って形成され、操作板もホルダーの支持板の内壁に添って設けてあるので、ホルダーへトイレットペーパーを装着する際に全く障害とはならず、また押圧板の押圧部はホルダー部のロール芯支持部を避けてロール芯支持部近くに達する長さで形成されているのでホルダーのトイレットペーパーの保持機能と引出機能を全く損なうことがない。
【００１５】
また、本発明では前記移動方向転換機構は各種構造の形態が使用可能である。
例えば、請求項６に記載の発明では、前記押圧板の突起と操作板の左右の突起ガイド孔との組み合わせで、前記押圧板を左右逆方向に移動でき、また、請求項７に記載の発明では、前記操作板の突起と押圧板の左右の突起ガイド孔との組み合わせで前記押圧板を左右逆方向に移動させることができる。
さらに、請求項８に記載の発明では、操作板の下部面に設けられた枢支部と、前記左右の押圧板の基端部に設けられた枢支部と、前記操作板の枢支部と前記左右の押圧板の各枢支部に枢支された両連結板とによって、前記操作板の前記操作ツマミを上下操作して前記左右の押圧板を左右逆方向に移動させることが可能となる。
そして上記いずれの移動方向転換機構でも、ホルダーの背後に隠れるようにコンパクトに納って嵩張らず、また大変簡潔な構造なので製造も容易となる利点がある。
【発明を実施するための最良の形態】
【００１６】
本発明のトイレットペーパー一時固定用ホルダーを実施するための形態について以下説明する。
本発明は、図１に示すように、トイレットペーパー用のホルダー１本体部分はトイレの壁面に固定するための支持板２の左右両側にホルダー部３ａ、３ｂが突設され、そのホルダー部にトイレットペーパーのロールＰがフリー回転可能にロール芯部で保持できるようにしてある。
トイレットペーパーのロールＰをフリー回転可能にロール芯部で保持できるようにした構造は、図１に示すような、左右の芯支持軸４、４がホルダー部３ａ、３ｂに上下開閉可能に設けられたものや、芯支持軸がホルダー部から出没してその芯支持軸でロールＰをロール芯部で保持できるようにしたもの、また、芯支持軸が着脱できるようにし芯支持軸をロールＰのロール芯部に差し込んでホルダー部にセットできるようにしたものなど通常使用されている一般的な各種タイプのホルダー１の使用が可能である。
【００１７】
通常、ホルダー１には、図１と図３に示すように、ホルダー部３ａ、３ｂ間の空間を上から包むように、ホルダー部３ａ、３ｂの基部に設けられた左右の上カバー用枢支部５に上カバー１５が、上カバー擺動軸１６を介して上下擺動可能に設けられているが、このような上カバー１５自体は本発明においては機能的な役割を持っていないので、使用するホルダー１にあってもなくともかまわない。
【００１８】
そして本発明は、図２に示すように、板面を前記ホルダー１の支持板２の内壁に添った摺動部６ａと、ホルダー部３ａ、３ｂの内壁に添ってロール芯部に達する長さの押圧部６ｂとに途中で屈曲させて左右の押圧板６、７を形成し、前記支持板２の内壁の左右の面に左右ガイド部９、１０を設けて、その左右ガイド部９、１０に前記押圧板６、７の摺動部６ａ、７ａを左右方向（横方向）にスライド可能に保持させる。
前記押圧部６ｂはトイレットペーパーのロールの側面Ｐ1を押えるものなので、トイレットペーパーが少なくなった場合でも押えられるように前記押圧部６ｂの一部が必ずロール芯部に当たるようにしなければならない。
なお、図３に示すように、上カバー１５を備えたホルダー１では、押圧部６ｂが上カバー１５に接触しないように押圧部６ｂの上部側を屈曲部から先端部まで低く形成すると上カバー１５の擺動が妨害されないので好ましい。
また、図２に示すように、前記ホルダー部の内壁に添った押圧部６ｂ、７ｂは、左右の芯支持軸４、４を避け、その芯支持軸４、４の両側に押圧部６ｂ、７ｂの押圧面ができるように途中に切欠６ｄを設けても良い。
【００１９】
また、本発明では、左右の押圧板６、７がホルダー１の支持板２の内壁とホルダー部３ａ、３ｂの内壁に添って形成され、操作板８もホルダー１の支持板２の内壁に添って設けてあるので、ホルダー１へのトイレットペーパーのロールＰを装着する際に全く障害とはならず、また前記押圧板６、７の押圧部６ｂ、７ｂはホルダー部３ａ、３ｂのロール芯支持軸４、４を避けてロール芯支持軸４、４近くに達する長さで形成されているのでトイレットペーパーの保持機能と引出機能は全く損なわれない構造となっている。
【００２０】
そして、前記ホルダー１の中央内壁に添った摺動部６ａ、７ａと、該内壁中央の上部に突出した操作ツマミ１４とを備えた操作板８を、その下部が前記押圧板６、７の基端部６ｃ、７ｃと重ね合わさるように下部面８ｂを形成し、前記ホルダー１の支持板２の内壁中央部の上部と下部に上下ガイド部１１ａ、１１ｂを設けて、その上下ガイド部１１ａ、１１ｂに前記操作板８の摺動部８ａが上下往復可能となるように保持させる。
前記操作ツマミ１４は、上カバー１５を備えたホルダー１においては、前方に突出しすぎるとカバー１５の上面が接触して充分に上に開けなくなるので、突出高さを低く押えることが必要となる。
【００２１】
そして、前記操作板８の下部面８ｂに操作ツマミ１４による前記操作板８の上下方向の移動操作で前記押圧板６、７が同時に左右逆方向に連係移動し、前記ホルダー部３ａ、３ｂに保持されているトイレットペーパーのロールＰの側面Ｐ1に対して前記押圧板６、７の押圧部６ｂ、７ｂによる押圧状態と押圧解除の状態とが可能となるように前記押圧板６、７の基端部６ｃ、７ｃと前記操作板８の下部面８ｂとの間に移動方向転換機構Ｒを備える。
【００２２】
この移動方向転換機構Ｒを介して、図１では、操作ツマミ１４を下げることにより前記押圧板６、７の押圧部６ｂ、７ｂ間が狭まってイレットペーパーのロールを固定している状態を示し、図２では、操作ツマミ１４を上げることにより前記押圧板６、７の押圧部６ｂ、７ｂ間が広がってロールを装着する前の状態を示している。
【００２３】
また、前記操作板８に対しては、図２に示すように、押えバネ２４を、前記操作板８を保持した上ガイド部１１ａ上に前記操作板８の板面を押し付けるように取り付け、前記操作板８の摺動部８ａを押さえつけて摩擦抵抗を高め、操作板８の自由な上下の移動を抑える構造とした移動抑止機構Ｙを設ける。
図６で示した移動抑止機構Ｙは押えバネ２５を上ガイド部１１ａの板面内に設けた態様を示している。
この移動抑止機構Ｙは、上げた前記操作板８が重さなどで自然に下がってしまって、イレットペーパーのロールの円滑な回転が阻害されたり、また押圧部６ｂ、７ｂで押圧状態の押圧板６、７の押圧が自然に解除されてしまうのを摩擦抵抗力によって防止するものである。
このため、上記構造以外にも前記操作板８及び前記押圧板６、７対して摩擦抵抗力が起きるような構造は各種構造が可能となる。
【００２４】
また、本発明において使用可能な前記移動方向転換機構Ｒは、前記ホルダー部３ａ、３ｂに保持されているトイレットペーパーのロールＰの側面Ｐ1を前記押圧板６、７の押圧部６ｂ、７ｂで押圧しすることで、前記ロールの回転を停止できるようにするための構造であるから、このような構造においては各種の形態が可能である。
例えば、本発明では以下のような移動方向転換機構Ｒを採用することが可能である。
【００２５】
そのうちに一つの移動方向転換手段Ｒにおいては、図２に示すように、左右の押圧板６、７の基端部６ｃ、７ｃに設けられた各突起１３、１３と、前記押圧板６、７の各突起１３、１３を両側から挟んで斜め上下方向にガイド可能に操作板８の下部面８ｂに左右でハ字形に形成された左右の突起ガイド孔１２，１２とが組み合わさった構成となっている。
この構成では、前記操作板８の前記操作ツマミ１４を下に押して前記突起ガイド孔１２，１２内の前記突起１３、１３を内向き方向に移動させることにより前記押圧板６、７を挟み着ける方向に移動して前記ホルダー部３ａ、３ｂに保持されているトイレットペーパーのロールＰの側面Ｐ1を前記押圧板６、７の押圧部６ｂ、７ｂで押圧し、前記ロールの回転を停止させる仕組みである。
なお、操作板８の下部面８ｂの左右で逆ハ字形に形成した場合（図省略）には、前記操作ツマミ１４を上に引き上げることで前記押圧板６、７の押圧部６ｂ、７ｂを内向き方向に移動させ、前記ロールの回転の停止を行う。
【００２６】
また、これとは別の移動方向転換機構Ｒとして、図４に示すように、前記操作板８の下部面８ｂに設けられた中央に２本の突起１８、１８と、該各突起１８、１８がそれぞれ挿通可能に前記左右の押圧板６、７の基端部６ｃ、７ｃに斜め上下方向にガイド可能に形成された両方でハ字形を成す左右の突起ガイド孔１７、１７とを組み合わせた構成が可能である。
この構成では、前記操作板８の操作ツマミ１４を下に押して前記突起ガイド孔内１７、１７の前記突起１８、１８を下降させて前記突起ガイド孔１７、１７を内向き方向に移動させることにより前記ホルダー部３ａ、３ｂに保持されているトイレットペーパーのロールＰの側面Ｐ1を前記押圧板６、７の押圧部６ｂ、７ｂで押圧し、前記ロールの回転を停止させる仕組みでとなっている。
この図４の（イ）では、操作ツマミ１４を上に上げて前記押圧板６、７の押圧部６ｂ、７ｂ間を広げてロールを押圧していない状態を、図４の（ロ）では操作ツマミ１４を下に押して前記押圧板６、７の押圧部６ｂ、７ｂ間を狭めてロール側面を押圧して固定した状態を示している。
【００２７】
この形態では、操作板８の下部面８ｂに設ける突起１８は中央に１箇所とし、前記左右の押圧板６、７の基端部６ｃ、７ｃに形成された両方のハ字形の突起ガイド孔１７、１７を重なるようにしてその１箇所の突起１８にそれぞれ挿通させることも可能である（図省略）。
また、前記突起ガイド孔１７、１７は逆ハ字形に形成することも可能である。その場合には、前記操作ツマミ１４を上に引き上げることで前記押圧板６、７の押圧部６ｂ、７ｂを内向き方向に移動させ、前記ロールの回転の停止を行うことができる。
なお、図４では前記突起１８、１８がピン状のものを示したが、突起は図５に示すように、斜め上下方向に突起ガイド孔１７、１７内に納まるように形成された板状の突起１８ａとしても良い。
この、板状の突起１８ａを用いた形態を示した図５の（イ）では、操作ツマミ１４を上に上げて前記押圧板６、７の押圧部６ｂ、７ｂ間を広げてロールを押圧していない状態を、図５の（ロ）では操作ツマミ１４を下に押して前記押圧板６、７の押圧部６ｂ、７ｂ間を狭めてロール側面を押圧して固定した状態を示している。
【００２８】
さらに、別の移動方向転換機構Ｒとしては、図６に示すように、前記操作板の下部面８ｂに設けられた枢支部２１と、前記左右の押圧板６、７の基端部６ｃ、７ｃに設けられた枢支部２２、２３と、前記操作板８の枢支部２１と前記左右の押圧板６、７の各枢支部２２、２３に枢支された連結板１９、２０とを組み合わせた構成とすることも可能である。
この形態では、前記操作板８の前記操作ツマミ１４を上下操作して左右の連結板１９、２０を開閉させ前記左右の押圧板６、７の枢支部２２、２３間をスライド移動させることにより前記押圧板６、７を左右逆方向に移動して前記ホルダー部３ａ、３ｂに保持されているトイレットペーパーのロールＰの側面Ｐ1を前記押圧板の押圧部で押圧し前記ロールＰの回転を停止させることが可能となる。
【００２９】
前記操作ツマミ１４の上下操作は、前記操作板の下部面８ｂに設けた枢支部２１の位置が押圧板６、７の各枢支部２２、２３の位置より高い場合（図６に示した位置）には、前記操作ツマミ１４を上げると前記左右の押圧板６、７の枢支部２２、２３間が狭まるので前記押圧板６、７が内向き方向に移動して前記ホルダー部３ａ、３ｂに保持されているトイレットペーパーのロールＰの側面Ｐ1を前記押圧板の押圧部で押圧し前記ロールＰの回転を停止させることが可能となる。
逆に、前記下部面８ｂの枢支部２１の位置が押圧板６、７の各枢支部２２、２３の位置より低い場合（図省略）には、前記操作ツマミ１４を下げると前記左右の押圧板６、７の枢支部２２、２３間が狭まりトイレットペーパーのロールＰの側面Ｐ1を前記押圧板の押圧部で押圧し前記ロールＰの回転を停止させることができる。
この図６の（イ）では、操作ツマミ１４を上に上げて前記押圧板６、７の押圧部６ｂ、７ｂ間を広げてロールを押圧していない状態を、また図６の（ロ）では、操作ツマミ１４を下に押して前記押圧板６、７の押圧部６ｂ、７ｂ間を狭めてロール側面を押圧して固定した状態を示している。
なお、本発明に使用する移動方向転換機構Ｒは上記のような構造のほかにも、ギャーやワイヤーを用いた構造や、押圧板６、７の設けた左右の輪に前記操作板の下部に設けたＹ字形の棒を差し込む構造など、各種の構造とすることが可能である。
【００３０】
さらにまた、移動方向転換機構Ｒは上記の構造とは別の形態が可能である。
例えば、図７及び図８に示すように、前記移動方向転換機構Ｒが、左右の押圧板６、７の基端部６ｃ、７ｃには斜め上下方向に左右対称でハ字形又は逆ハ字形を成すように左右のガイド孔２６を配着し、操作板８の下部面８ｂには該左右のガイド孔２６、２７内を往復可能に二股に分岐形成した左右のガイド分岐板部２８、２９を設けて構成される。
前記左右のガイド孔２６は、図７に示すように、左右の押圧板６、７の基端部６ｃ、７ｃの板面と中心部をガイド分岐板部２８、２９が内部に緩く納まるようにコ字型に屈曲させた金属板を固着して形成する態様や、ガイド分岐板部２８、２９が内部に緩く納まる筒体を固着させた態様（図省略）などが可能である。
また、左右の押圧板６、７の摺動部６ａ、７ａには左右方向（横方向）にスライド可能となるように横長ガイド孔３１を設けて、孔幅よりも径の小さいネジ３２で前記ホルダー１の支持板２の内壁に緩く止める。
【００３１】
前記押圧板６、７の安定性を確保するために、前記横長ガイド孔３１とネジ３２止め部分は、前記押圧板６、７の両摺動部６ａ、７ａに数箇所づつ設けると良い。
この形態でも前記操作板８の上下移動により前記左右のガイド分岐板部２８、２９が前記左右のガイド孔内２６、２７を往復して左右の押圧板８を左右逆方向に同時に移動させることが可能となり、且つネジ３２の頭部分で左右の押圧板６、７が押えられて前記ホルダー１の支持板２の内壁にから外れずに安定的に左右にスライドさせることが可能となる。
この図８の（イ）では、操作ツマミ１４を上に上げて前記押圧板６、７の押圧部６ｂ、７ｂ間を広げてロールを押圧していない状態を、図８の（ロ）では操作ツマミ１４を下に押して前記押圧板６、７の押圧部６ｂ、７ｂ間を狭めてロール側面を押圧して固定した状態を示している。
【００３２】
また、この形態では移動方向転換機構Ｙは、図７に示すように、押えバネ３０を前記左右のガイド孔２６上に前記ガイド分岐板部２８の板面を押し付けるように取り付けることができる。
この、前記ガイド分岐板部２８の板面を押さえ付けその摩擦抵抗力で前記ガイド分岐板部２８が自由に上下の移動するのを抑え、押圧部６ｂ、７ｂで押圧状態の押圧板６、７の押圧が自然に解除されてしまうのを防止できるようにする。
【００３３】
次に、本発明の使用方法を説明する。
本発明の使用にあたっては、便座に座って、保持されているトイレットペーパーのロールＰの側面Ｐ1を前記操作ツマミ１４の上下操作を行い、移動方向転換手段Ｒを介して前記押圧部６ｂ、７ｂによるロールＰの側面Ｐ1の押圧を解除し、片手でロールＰのトイレットペーパーを引き出せるようにセットする。その後、しゃがんで水平状態となっている膝から太腿のあたりの上に載せるようにトイレットペーパーを片手で引き出す。
このとき、片手でトイレットペーパーを折り畳むこともできる。
【００３４】
使用長さ分ペーパーを引き出したら、前記操作ツマミ１４を片手で上下操作して前記押圧板６、７の押圧部６ｂ、７ｂをロールＰの側面Ｐ1に押圧させロールＰの回転を停止させる。
すると前記移動抑止機構ＹによりトイレットペーパーのロールＰの回転も停止状態が維持され、この状態でトイレットペーパーを引くと、図３に示すように、そのペーパーのミシン目または途中からペーパーが引き千切れるよう簡単に切り取られる。
なお、立ったままでも、前記操作ツマミ１４を片手で上下操作してロールＰの回転の停止と解除ができるので、ロールＰの回転を停止状態にしたままでトイレットペーパーを引くと、そのペーパーのミシン目または途中からペーパーが簡単に切り取れるのは同じである。
このように、従来の一般的なトイレットペーパー用のホルダーでは、一方手でカバーを押さえてロールＰの回転の停止しないとペーパーを切る作業ができなかったが、本発明では上述のようにすべての作業を片手のみで行うことが可能となる。
【産業上の利用可能性】
【００３５】
本発明はトイレットペーパー用のホルダーであるが、同様の構造を待つ包装用ラップロールのホルダー、テープホルダー及びキッチンペーパー用のホルダーなどにも利用できる可能性がある。
【図面の簡単な説明】
【００３６】
【図１】本発明の使用状態を示す斜視図である。
【図２】ロールを装着する前の状態を示す斜視図である。
【図３】ロールを押圧部で固定してペーパーを引き千切ろうとしている状態を示す斜視図である。
【図４】移動方向転換機構の（イ）がロールを押圧していない状態を、（ロ）がロールを押圧した状態を示す要部の各正面図である。
【図５】別の態様の移動方向転換機構の（イ）がロールを押圧していない状態を、（ロ）がロールを押圧した状態を示す要部の各正面図である。
【図６】別の態様の移動方向転換機構の（イ）がロールを押圧していない状態を、（ロ）がロールを押圧した状態を示す要部の各正面図である。
【図７】別の態様のロールを固定した使用状態を示す斜視図である。
【図８】図７の形態の移動方向転換機構の（イ）がロールを押圧していない状態を、（ロ）がロールを押圧した状態を示す要部の各正面図である。
【符号の説明】
【００３７】
１    ホルダー
２    支持板
３ａ  左のホルダー部
３ｂ  右のホルダー部
４    芯支持軸
５    上カバー用枢支部
６    左の押圧板
６ａ  押圧板の摺動部
６ｂ  押圧板の押圧部
６ｃ  押圧板の基端部
７    右の押圧板
７ａ  押圧板の摺動部
７ｂ  押圧板の押圧部
７ｃ  押圧板の基端部
８    操作板
８ａ  操作板の摺動部
８ｂ  操作板の下部面
９    左のガイド部
１０  右のガイド部
１１ａ  上の上下ガイド部
１１ｂ  下の上下ガイド部
１２  突起誘導孔
１３  突起
１４  操作ツマミ
１５  上カバー
１６  上カバー擺動軸
１７  突起誘導孔
１８  突起
１８ａ  板状の突起
１９  連結板
２０  連結板
２１  枢支部
２２  枢支部
２３  枢支部
２４  押えバネ
２５  押えバネ
２６  左のガイド孔
２７  右のガイド孔
２８  左のガイド分岐板部
２９  右のガイド分岐板部
３０  押えバネ
３１  横長ガイド孔
３２  ネジ
Ｐ    トイレットペーパーのロール
Ｐ1  トイレットペーパーのロールの側面
Ｒ    移動方向転換機構
Ｙ    移動抑止機構
【図１】
2007307192.tif 000003
【図２】
2007307192.tif 000004
【図３】
2007307192.tif 000005
【図４】
2007307192.tif 000006
【図５】
2007307192.tif 000007
【図６】
2007307192.tif 000008
【図７】
2007307192.tif 000009
【図８】
2007307192.tif 000010